(57)【要約】      （修正有）【課題】水あかの発生をなくしてエネルギーの節約が可能とする。【解決手段】装置本体の内部には石英加熱管が多数に設けてあり、石英加熱管は、底端の側壁には水入り口が設けてあり、上端の側壁には蒸気出口が設けてあり、また、装置本体には、水入り口と、水出口とが設けてあり、装置本体の水出口は装置本体の内部に回流管と連通し、回流管はチューブを介して石英加熱管の蒸気出口と連通し、且つ回流管の壁には貫通孔が多数に開設してあり、装置本体にはリリーフ穴が設けてあり、リリーフ穴はリリーフ弁と連通する。【選択図】図１
0003137188.tif 000002
【実用新案登録請求の範囲】
【請求項１】
装置本体が設けてあり、
前記装置本体の内部には石英加熱管が多数に設けてあり、
前記石英加熱管は、底端の側壁には水入り口が設けてあり、
上端の側壁には蒸気出口が設けてあり、
前記装置本体には、水入り口と、水出口とが設けてあり、
前記装置本体の水出口は前記装置本体の内部に回流管と連通し、
前記回流管はチューブを介して前記石英加熱管の蒸気出口と連通し、且つ前記回流管の壁には貫通孔が多数に開設してあり、
前記装置本体にはリリーフ穴が設けてあり、前記リリーフ穴はリリーフ弁と連通することを特徴とする、
吊下げ式湯沸し器。
【請求項２】
前記装置本体内の頂端面と底端面とには、互いに対向する組付台がそれぞれ複数に設けてあり、前記石英加熱管は前記互いに対向して対になる組付台に組み付けられることを特徴とする、請求項１に記載の吊下げ式湯沸し器。
【請求項３】
前記石英加熱管は、両端が密封された石英外管の内部に石英内管が設けてあり、前記石英内管の内部には遠赤外線加熱体が設けてあり、前記石英内管には電極端子が連接してあることを特徴とする、請求項１に記載の吊下げ式湯沸し器。
【考案の詳細な説明】
【技術分野】
【０００１】
本考案は、吊下げ式湯沸し器に係り、特に、装置本体の内部に多数の石英加熱管を設け、石英加熱管に水入り口と蒸気出口とが設けてあり、蒸気と輻射熱とにて熱伝導を施し、これにより、水あかの発生をなくしてエネルギーの節約も可能である、吊下げ式湯沸し器に関するものである。
【背景技術】
【０００２】
一般の国民は、毎日にシャワーを浴びることにより、身体に付着した汗やゴミなどを除去している。そしてある国民はお湯を利用してシャワーを浴びることにより、身体を清潔する効果を向上している。寒い冬においては、お湯を利用してシャワーを浴びる国民が更に多くなる。
【０００３】
一般の湯沸し器は、電気湯沸し器と、ガス湯沸し器とに分けられる。
ガス湯沸し器する場合に、一酸化炭素による中毒の危険性があるので、安全のために、電気湯沸し器を使用する国民がどんどん増加している。
【考案の開示】
【考案が解決しようとする課題】
【０００４】
従来の電気湯沸し器によれば、電気湯沸し器の金属製のハウジングの内部に加熱源が設けてあり、前記加熱源に電力を供給すると、加熱源には熱エネルギーが発生する。加熱源による熱エネルギーは金属製の熱伝導体によって水に伝導されて水温を上昇させる。そのために、金属製の熱伝導体の表面に水垢が多く発生する。
水垢が多く発生すると、熱伝導の効率が低下して電気エネルギーが無駄になり、そして電気湯沸し器の使用寿命が短くなるといった欠点があった。
【課題を解決するための手段】
【０００５】
上記欠点を解決するためになされた本願の第１考案は、装置本体が設けてあり、前記装置本体の内部には石英加熱管が多数に設けてあり、前記石英加熱管は、底端の側壁には水入り口が設けてあり、上端の側壁には蒸気出口が設けてあり、また、前記装置本体には、水入り口と、水出口とが設けてあり、前記装置本体の水出口は前記装置本体の内部に回流管と連通し、前記回流管はチューブを介して前記石英加熱管の蒸気出口と連通し、且つ前記回流管の壁には貫通孔が多数に開設してあり、前記装置本体にはリリーフ穴が設けてあり、前記リリーフ穴はリリーフ弁と連通することを特徴とする吊下げ式湯沸し器であることを要旨としている。
【０００６】
本願の第２考案では、前記装置本体内の頂端面と底端面とには、互いに対向する組付台がそれぞれ複数に設けてあり、前記石英加熱管は前記互いに対向して対になる組付台に組み付けられることを特徴とする前記第１考案に記載の吊下げ式湯沸し器であることを要旨としている。
【０００７】
本願の第３考案では、前記石英加熱管は、両端が密封された石英外管の内部には石英内管が設けてあり、前記石英内管の内部には遠赤外線加熱体が設けてあり、前記石英内管には電極端子が連接してあることを特徴とする前記第１考案に記載の吊下げ式湯沸し器であることを要旨としている。
【考案の効果】
【０００８】
本考案の吊下げ式湯沸し器によれば、次のような効果がある。
（１）遠赤外線加熱体による輻射熱によって水を加熱し、そして水の熱対流および蒸気にて水を加熱するので、装置本体の内部の水の温度が快速に上昇し、且つ省エネの効果も得られる。
【０００９】
（２）石英内管と石英外管との間に流入する水は石英内管にて加熱されて蒸気になり、本考案は蒸気および輻射熱により熱伝導を施すので、水垢が発生しなくなり、電気湯沸し器の使用寿命が更に長くなる。
【００１０】
（３）水垢が発生しなくなるので、省エネ効果は更に良くなる。
【００１１】
（４）本考案の遠赤外線加熱体は常時に加熱するので、遠赤外線加熱体の温度が極めて高くなる。そのため、流入される水を快速に加熱して気化させることができ、気化された蒸気が石英外管の上端の側壁に開設された複数の蒸気出口から回流管に排出されて、回流管の貫通孔から排出できる。したがって、装置本体内の水蒸気の圧力が増加する。すなわち、排出している水を加圧する効果がある。
【考案を実施するための最良の形態】
【００１２】
以下、添付図面を参照して本考案の好適な実施の形態を詳細に説明する。
【００１３】
まず、図１を参照する。図１は本考案の吊下げ式湯沸し器の側面断面図である。
本考案の吊下げ式湯沸し器は、主に、外壁面に断熱ジャケット１１を有する装置本体１が設けてある。
前記装置本体１内の頂端面と底端面とには、互いに対向する組付台１２がそれぞれ複数に設けてある。
前記石英加熱管２は前記互いに対向して対になる組付台１２に組み付けられる。
前記石英加熱管２は、両端が密封された石英外管２１の内部には石英内管２２が設けてあり、前記石英内管２２の内部には遠赤外線加熱体２３が設けてある。
前記遠赤外線加熱体２３が炭素繊維で作製されたものであることは好ましい。
前記石英内管２２の一端には電極端子２２１が連接してある。
前記遠赤外線加熱体２３に電流を流すると遠赤外線および熱エネルギーが発生する。
石英内管２２の電極端子２２１が石英外管２１から外部に突出し、石英外管２１と石英内管２２との間に収容空間２１１を形成するように、熱圧合方法にて石英外管２１の両端を石英内管２２と結合している。
また、各石英外管２１の底端の側壁には水入り口２１２が複数に開設してあり、各石英外管２１の上端の側壁には蒸気出口２１３が複数に開設してある。
【００１４】
また、前記装置本体１には、水入り口１３と、水出口１４とが設けてある。
前記水入り口１３は冷水を供給する水源と連通している。ユーザは前記水出口１４からお湯を取出可能である。
前記水出口１４は前記装置本体１の内部に回流管３と連通している。
前記回流管３はチューブ４を介して前記石英外管２１の各蒸気出口２１３と連通している。前記回流管３の壁には貫通孔３１が多数に開設してあり、前記貫通孔３１により、前記回流管３の内部の蒸気が前記装置本体１の内部に回流する。
【００１５】
また、前記装置本体１にはリリーフ穴１５が設けてある。前記リリーフ穴１５はリリーフ弁１５１と連通し、前記リリーフ弁１５１により、前記装置本体１の内部の過大の圧力がリリーフされ、爆発事故を回避可能である。
前記装置本体１には、レベルゲージ１６と、圧力ゲージ１７と、温度ゲージ１８とが設けてある。ユーザはこれらのゲージを見れば、使用状況を把握することができる。水位が高すぎる場合には、自動制御によって水の注入を停止することができ、温度が高すぎる場合には、自動制御によって加熱を停止することができる。
【００１６】
次に、図２と図３を参照しながら本考案の使用状態を詳細に説明する。
本考案の吊下げ式湯沸し器は、冷水が水入り口１３を経由して装置本体１に進入する。
装置本体１の内部には石英加熱管２が多数に設けてある。各石英加熱管２は石英外管２１の内部に石英内管２２が設けてある。各石英外管２１の底端の側壁には水入り口２１２が開設してある。そのため、装置本体１に流入する水の水位が一定になると、水はこれらの石英外管２１の底端の側壁に開設された水入り口２１２から石英外管２１と石英内管２２との間の収容空間２１１に流入する。石英内管２２の内部には遠赤外線加熱体２３が設けてあり、前記遠赤外線加熱体２３によって輻射熱および熱エネルギーが発生するので、温度が極めて高く、流入された水が快速に気化されて蒸気になる。発生した蒸気は、石英外管２１の上端の側壁に開設された蒸気出口２１３から排出される。チューブ４を経由して回流管３に進入し、回流管３の壁には貫通孔が多数に開設してあるので、前記貫通孔によって蒸気が排出される。
これにより、装置本体１の内部の水は、遠赤外線加熱体による輻射熱によって加熱される。
そして水の熱対流および蒸気にて加熱されるので、装置本体の内部の水の温度は快速に上昇可能であり、かつ省エネ効果もある。
また、石英内管２２と石英外管２１との間に流入する水は石英内管２２にて加熱されて蒸気になる。
本考案は蒸気および輻射熱により熱伝導を施すので、水垢が発生しなくなる。そのため電気湯沸し器の使用寿命が更に長くなる。
また、各石英外管２１の蒸気出口から排出される蒸気により装置本体の内部の水が加圧されるので、ユーザはお湯を使用しようとする場合には、水出口１４の制御弁を開けると、回流管３内に凝縮されたお湯が流出するようになって使用するうえで極めて便利である。
【図面の簡単な説明】
【００１７】
【図１】本考案の吊下げ式湯沸し器の側面断面図である。
【図２】本考案の吊下げ式湯沸し器の使用状態を示す側面断面図１である。
【図３】本考案の吊下げ式湯沸し器の使用状態を示す側面断面図２である。
【符号の説明】
【００１８】
１        装置本体                  ２        石英加熱管
３        回流管                    ４        チューブ
１１      断熱ジャケット            １２      組付け台
１３      水入り口                  １４      水出口
１５      リリーフ穴                １６      レベルゲージ
１７      圧力ゲージ                １８      温度ゲージ
２１      石英外管                  ２２      石英内管
２３      遠赤外線加熱体            ３１      貫通孔
１５１    リリーフ弁                ２１１    収容空間
２１２    水入り口                  ２１３    蒸気出口
２２１    電極端子
【図１】
0003137188.tif 000003
【図２】
0003137188.tif 000004
【図３】
0003137188.tif 000005